(57)【要約】【課題】  ガーニッシュの表面側にボルト類等の固定部材が露出することなく美観が向上され、且つガーニッシュを高精度で容易かつ確実に取付け可能であるインストルメントパネルへのガーニッシュの取付け構造を提供する。【解決手段】  インストルメントパネル（１）に配設された車載機器の周囲を覆うガーニッシュ（２）の取付け構造において、前記インストルメントパネルの前記ガーニッシュに隣接した部位に収納用凹部（３１）が配設され、前記ガーニッシュの前記収納用凹部に隣接した裏面には、前記収納用凹部の裏面に至る固定用片部（２３）が延設されており、前記固定用片部と前記収納用凹部裏面との重合部分に穿設された固定孔（２４、３４）に、前記収納用凹部の内部から締結部材（４）が挿通され、該締結部材により前記ガーニッシュが前記収納用凹部裏面に固定されている。【選択図】    図４
2008189175.tif 000002
【特許請求の範囲】
【請求項１】
インストルメントパネルに配設された車載機器の周囲を覆うガーニッシュの取付け構造において、前記インストルメントパネルの前記ガーニッシュに隣接した部位に収納用凹部が配設され、前記ガーニッシュの前記収納用凹部に隣接した裏面には、前記収納用凹部の裏面に至る固定用片部が延設されており、前記固定用片部と前記収納用凹部裏面との重合部分に穿設された固定孔に、前記収納用凹部の内部から締結部材が挿通され、該締結部材により前記ガーニッシュが前記収納用凹部裏面に固定されていることを特徴とするインストルメントパネルへのガーニッシュの取付け構造。
【請求項２】
前記収納用凹部が、前記インストルメントパネルの、前記車載機器上方に位置した上面部に配設され、前記固定用片部が前記ガーニッシュの上縁部に配設されていることを特徴とする請求項１に記載のインストルメントパネルへのガーニッシュの取付け構造。
【請求項３】
前記収納用凹部の固定孔が、前記収納用凹部の、運転席側から見て陰面となる壁部または該壁部に近接した底部に穿設されていることを特徴とする請求項２に記載のインストルメントパネルへのガーニッシュの取付け構造。
【請求項４】
前記収納用凹部が、開閉可能な蓋を備えていることを特徴とする請求項１または２に記載のインストルメントパネルへのガーニッシュの取付け構造。
【請求項５】
前記収納用凹部が、前記インストルメントパネルと別体で構成されていることを特徴とする請求項１〜４のいずれか１項に記載のインストルメントパネルへのガーニッシュの取付け構造。
【請求項６】
前記インストルメントパネルの前記収納用凹部に隣接した部位に、前記固定用片部が挿通可能なスリットが穿設され、該スリットに前記固定用片部が挿通した状態で、該固定用片部の前記固定孔に前記締結部材が挿通され、前記ガーニッシュが前記収納用凹部裏面に固定されていることを特徴とする請求項１〜４のいずれか１項に記載のインストルメントパネルへのガーニッシュの取付け構造。
【発明の詳細な説明】
【技術分野】
【０００１】
本発明は、インストルメントパネルへのガーニッシュの取付け構造に関する。
【背景技術】
【０００２】
自動車等のインストルメントパネルには、オーディオ機器や空調操作部など種々の機器（以下、車載機器という）が配置されるが、これらの車載機器は、一般に、メンテナンスや交換が可能なように取外し可能な状態で固定されるとともに、それらの取付け部の周囲の合わせ部は、室内の外観を良好に維持するために、インストルメントパネル本体と別体のガーニッシュで覆われている。したがって、このガーニッシュもインストルメントパネル本体に取外し可能に設けられており、車載機器の取外しに先立ちガーニッシュを取り外すことで、車載機器の取付け部が露見するように構成されている。
【０００３】
このようなガーニッシュは、樹脂材を用いた成形品で構成されるが、比較的大きな開口部を有しているため、成型後に変形しやすい傾向がある。そこで、特許文献１では、センターガーニッシュを取り付けるインストルメントパネル本体およびヒーターコントロールレバーガーニッシュに複数のリブを立設し、これらのリブにセンターガーニッシュの周縁を引っ掛けて、該センターガーニッシュを取り付けることにより、ガーニッシュの変形を防止し、且つ精度良くインストルメントパネルに取り付けるようにしている。
【０００４】
このような取付け構造は、ガーニッシュの変形防止に有効である反面、ガーニッシュを複数のボルト類を用いてインストルメントパネルに取り付ける構造であるため、ボルト類を、締結作業に支障がない範囲で、乗員側から視認され難い位置に配置する必要がある。しかし上記ガーニッシュは、インストルメントパネルの最表面に位置した部材であるため、ボルト類を視認されないように配置するのは必ずしも容易ではなく、インストルメントパネル周りの美観を損ねる一因となっていた。
【０００５】
【特許文献１】特開平５−２０１２７４号公報
【発明の開示】
【発明が解決しようとする課題】
【０００６】
本発明はこのような実状に鑑みてなされたものであって、その目的は、ガーニッシュの表面側にボルト類等の固定部材が露出することなく美観が向上され、且つガーニッシュを高精度で容易かつ確実に取付け可能であるインストルメントパネルへのガーニッシュの取付け構造を提供することにある。
【課題を解決するための手段】
【０００７】
上記従来技術の有する課題を解決することを目的として、本発明は、インストルメントパネルに配設された車載機器の周囲を覆うガーニッシュの取付け構造において、前記インストルメントパネルの前記ガーニッシュに隣接した部位に収納用凹部が配設され、前記ガーニッシュの前記収納用凹部に隣接した裏面には、前記収納用凹部の裏面に至る固定用片部が延設されており、前記固定用片部と前記収納用凹部裏面との重合部分に穿設された固定孔に、前記収納用凹部の内部から締結部材が挿通され、該締結部材により前記ガーニッシュが前記収納用凹部裏面に固定されていることを特徴とする。
【０００８】
本発明の好適な態様においては、前記収納用凹部が、前記インストルメントパネルの、前記車載機器上方に位置した上面部に配設され、前記固定用片部が前記ガーニッシュの上縁部に配設されている。また、前記収納用凹部の固定孔が、前記収納用凹部の、運転席側から見て陰面となる壁部または該壁部に近接した底部に穿設されている。さらに、前記収納用凹部が、開閉可能な蓋を備えている。また、前記収納用凹部が、前記インストルメントパネルと別体で構成されていても良い。
【０００９】
本発明の他の態様では、前記インストルメントパネルの前記収納用凹部に隣接した部位に、前記固定用片部が挿通可能なスリットが穿設され、該スリットに前記固定用片部が挿通した状態で、該固定用片部の前記固定孔に前記締結部材が挿通され、前記ガーニッシュが前記収納用凹部裏面に固定されている。
【発明の効果】
【００１０】
本発明によれば、締結部材が収納用凹部の内部に配置され、車室の乗員側から視認され難いため、美観を良好に維持できるとともに、ガーニッシュの取外し作業を容易に行なうことができ、かつ、ガーニッシュをインストルメントパネルに確実に且つ強固に固定できる。さらに、前記締結部材が、ガーニッシュの他の既存の固定部材である係止爪に対して交差する方向に挿入されるため、ガーニッシュに衝撃が作用した場合でも、締結部材および係止爪が抜脱し難い利点がある。
【００１１】
また、前記収納用凹部が、前記インストルメントパネルの、前記車載機器上方に位置した上面部に配設され、前記固定用片部が前記ガーニッシュの上縁部に配設されている場合に、前記収納用凹部の固定孔が、前記収納用凹部の、運転席側から見て陰面となる壁部または該壁部に近接した底部に穿設されていれば、収納用凹部に蓋がない場合にも締結部材が視認され難く、キャップ等、締結部材を覆うための部品が不要となる。さらに、前記収納用凹部が、開閉可能な蓋を備えている態様では、前記収納用凹部の固定孔の配置に係わらず、締結部材が視認され難く、キャップ等、締結部材を覆うための部品が不要であるとともに、前記固定孔を締結作業が行ないやすい位置に配設可能となる。
【発明を実施するための最良の形態】
【００１２】
以下、図面を参照して本発明の実施形態について詳細に説明する。
図１は、本発明を実施した自動車のインストルメントパネル１を示す斜視図である。図において、インストルメントパネル１の車幅方向中央には、空調の吹出し口１１、ナビゲーションシステムの表示画面１２、空調の操作ダイヤル１３等の車載機器が配置され、これらの部品の取付け部位の周囲を囲むように、枠状のガーニッシュ２が取り付けられている。
【００１３】
ガーニッシュ２は、図２に示すように、ともに略Ｕ字形状をなすアッパーガーニッシュ２１とロアーガーニッシュ２２とに上下２分割されており、それぞれの意匠面の裏面には、図３に示すような係止爪（クリップ）２１ａ，２２ａが適宜間隔を有して複数並設され、該各係止爪２１ａ，２２ａを、前記インストルメントパネル１の表面に穿設された各スリット１ａに差し込むことにより、アッパーガーニッシュ２１およびロアーガーニッシュ２２は該インストルメントパネル１に固定される。
【００１４】
これら係止爪２１ａ，２２ａによる固定は、クリップの弾性を利用した係止によるものであるため、ガーニッシュ２には、その固定を確実にするために、締結部材４による固定機構が併設されている。すなわち、アッパーガーニッシュ２１の上端部に位置した車幅方向に延在する部分の中央部には、意匠面の裏面側から収納部３に向けて、固定用片部２３が延設されており、該固定用片部２３の先端部には、該固定用片部２３を上下に貫通する固定孔２４が穿設されている。
【００１５】
収納部３は、図１及び図４に示すように、アッパーガーニッシュ２１の前方に隣接したインストルメントパネル１の上面に配設され、インストルメントパネル１と別体のアッパーボックス３１と、その上面開口部に開閉可能に設けたリッド３２とで構成されている。アッパーボックス３１は、比較的浅めの収納用凹部３０と、その周囲に、インストルメントパネル１の上面と共通の意匠面を形成する周縁部３３とで構成され、リッド３２は、収納用凹部３０の車両前後方向前方側に設けた軸３２ａに回動自在に支持されている。
【００１６】
アッパーボックス３１は、図５に示すように、車両前後方向の前端部および後端部に設けた係止片３１ａ、３１ｂをインストルメントパネル１に係止するとともに、両側部においてスクリュー３１ｃを螺合することにより、インストルメントパネル１に固定されている。そして、図４に示すように、アッパーボックス３１の収納用凹部３０底面の、アッパーガーニッシュ２１寄りの部位には、アッパーガーニッシュ２１の固定用片部２３をクリップ等の締結部材４で固定するための固定孔３４が穿設されている。
【００１７】
また、図４および図５に示すように、アッパーボックス３１が設置されるインストルメントパネル１上面には凹溝１４が形成されている。この凹溝１４とアッパーボックス３１とにより形成されるスリット（１４）に、アッパーガーニッシュ２１の固定用片部２３を挿入するとともに、先述した係止爪２１ａをインストルメントパネル１のスリット１ａに差し込んで、アッパーガーニッシュ２１をインストルメントパネル１に固定（仮固定）した状態では、アッパーガーニッシュ２１の固定用片部２３が、アッパーボックス３１の下面に重なり、固定用片部２３の固定孔２４と、アッパーボックス３１の固定孔３４との位置が一致するようになっている。この状態で、締結部材４を、アッパーボックス３１の内部から固定孔３４および固定孔２４に挿入して締結すれば、固定用片部２３がアッパーボックス３１に対して固定される。
【００１８】
このような取付け状態において、アッパーガーニッシュ２１は、固定用片部２３の固定孔２４に、前記各係止爪２１ａの挿入方向と交差する方向に締結部材４が挿通されることによって確実に固定され、アッパーガーニッシュ２１に衝撃が作用した場合でも、締結部材４および各係止爪２１ａの抜脱を回避できる。
【００１９】
上記締結部材４を締結する固定孔３４は、車両前後方向の後方側に設置されているので、車室内の乗員からの死角となり、締結部材４が見え難くなるので、締結部材４のためのキャップ類が不要となる。また、図示例の固定用片部２３は、アッパーガーニッシュ２１の中央に位置するとともに平板状に形成されているため、この固定用片部２３に、射出成形時におけるゲートを設定すると、ゲート周辺に発生する外観不良がアッパーガーニッシュ２１の意匠面に現れなくなり、アッパーガーニッシュ２１の外観を向上する上で有利である。
【００２０】
また、オーディオ機器やナビゲーションシステムのメンテナンス等のために、これらの機器を取り外す場合には、リッド３２を開けば、アッパーボックス３１の内部の締結部材４に直ちにアクセスでき、工具を用いて締結部材４を外すことで、アッパーガーニッシュ２１を容易に取り外すことができ、従来のようにキャップ類を取り外す作業が不要となり、メンテナンスの作業性が向上する。
【００２１】
上記実施形態では、締結部材４に主としてクリップを用いる場合について述べたが、締結部材４としては、クリップ以外に、ボルトやスクリューなどの螺合部材を用いることもできる。図６に示す例では、締結部材４にスクリューを用い、インストルメントパネル１の凹溝１４部分に挟着したスピードナット４４に螺合するようにしている。
【００２２】
また、上記実施形態では、収納部３を構成するアッパーボックス３１が、インストルメントパネル１と別体の場合を示したが、図７に示す実施形態は、収納部３をインストルメントパネル１に一体に形成する場合を示しており、この例では、インストルメントパネル１に設けたスリット１５に、アッパーガーニッシュ２１の固定用片部２３を挿通した状態で、固定孔３４、２４に締結部材４（クリップ）を挿通することで、アッパーガーニッシュ２１を収納部３の下面に直接固定可能である。さらに、インストルメントパネル１の凹溝１４にも固定孔を設けておき、それぞれ別体で構成されたアッパーガーニッシュ２１とアッパーボックス３１とを、締結部材４で同時にインストルメントパネル１に固定するように構成しても良い。
【００２３】
以上、本発明の一実施形態について述べたが、本発明は上記実施形態に限定されるものではなく、本発明の技術的思想に基づいて各種の変形および変更が可能である。また、本発明は、ガーニッシュ２（２１）の設置範囲にある全ての車載機器が取外し可能である場合に限定されるものではなく、恒久的に車両に固定されている機器や他の部材が含まれていても良い。
【図面の簡単な説明】
【００２４】
【図１】本発明実施形態に係るガーニッシュの取付け構造を実施したインストルメントパネルを示す斜視図である。
【図２】本発明実施形態に係るガーニッシュの分解状態を示す斜視図である。
【図３】（ａ）は図２のＸ矢視図、（ｂ）は（ａ）のＢ−Ｂ断面図である。
【図４】図１のＡ−Ａ断面図である。
【図５】本発明実施形態に係るガーニッシュの取付け過程を示す斜視図である。
【図６】本発明の別の実施形態に係る図１のＡ−Ａ断面図である。
【図７】本発明のさらに別の実施形態に係る図１のＡ−Ａ断面図である。
【符号の説明】
【００２５】
１  インストルメントパネル
１ａ  スリット
１４  凹溝
１５  スリット
２  ガーニッシュ
３  収納部
４  締結部材
２１  アッパーガーニッシュ
２１ａ、２２ａ  係止爪（クリップ）
２２  ロアーガーニッシュ
２３  固定用片部
２４、３４  固定孔
３０  収納用凹部
３１  アッパーボックス
３２  リッド（蓋）
【図１】
2008189175.tif 000003
【図２】
2008189175.tif 000004
【図３】
2008189175.tif 000005
【図４】
2008189175.tif 000006
【図５】
2008189175.tif 000007
【図６】
2008189175.tif 000008
【図７】
2008189175.tif 000009